(57)【要約】      （修正有）【課題】操作性、作業性及びメンテナンス性を向上させた往復動工具を提供する。【解決手段】モータ３と、前記モータの動力を往復動に変換する動力変換機構４、５１と、該動力変換機構に接続し、先端工具を着脱可能に保持する着脱機構６を備えるプランジャ５２と、前記動力変換機構及び前記モータを収容する本体部３１と、前記プランジャを覆うカバー３２を着脱可能に備える把持部３７とを備えるハウジング３と、を有し、前記カバーは、前記先端工具の前記着脱機構への着脱を操作する操作部を備えることを特徴とする往復動工具を提供する。【選択図】図１
2017013159.tif 000002
【特許請求の範囲】
【請求項１】
モータと、
前記モータの動力を往復動に変換する動力変換機構と、
該動力変換機構に接続し、先端工具を着脱可能に保持する着脱機構を備えるプランジャと、
前記動力変換機構及び前記モータを収容する本体部と、前記プランジャを覆うカバーを着脱可能に備える把持部とを備えるハウジングと、を有し、
前記カバーは、前記先端工具の前記着脱機構への着脱を操作する操作部を備えることを特徴とする往復動工具。
【請求項２】
前記把持部は、エラストマによって覆われることを特徴とする請求項１に記載の往復動工具。
【請求項３】
前記操作部は、前記カバーに相対移動可能なレバーを有することを特徴とする請求項１または２に記載の往復動工具。
【請求項４】
前記カバーには、前記往復動の方向に延びる軸部材を収容し、前記カバーの前記モータ側端面に開口を形成し、前記カバー装着時に前記本体部によって前記開口が塞がれる長孔が画成され、
前記レバーは、前記軸部材に接続され、前記軸部材を中心に回動することによって前記先端工具を着脱することを特徴とする請求項３に記載の往復動工具。
【請求項５】
前記ハウジング内に、前記プランジャを支持する軸受部を備え、
前記カバーは、前記軸受部よりも前方である先端工具側に設けられることを特徴とする請求項１〜４の何れか１項に記載の往復動工具。
【発明の詳細な説明】
【技術分野】
【０００１】
本発明は往復動工具に関し、特に鋸刃、ブレード等の先端工具の往復動により被加工部材を切断する往復動工具に関する。
【背景技術】
【０００２】
従来、往復動工具、例えばセーバーソーは、作業者が把持するハンドル部を備えたハウジングと、モータの回転駆動を往復動に変換する動力変換機構と、動力変換機構に接続し先端工具を着脱可能に保持する着脱機構を備えるプランジャとを備えている。また、ハウジングは、モータ、動力変換機構、プランジャを全て覆うように構成される（例えば特許文献１）。
【先行技術文献】
【特許文献】
【０００３】
【特許文献１】特開第２００７−１１８１８１号公報
【発明の概要】
【発明が解決しようとする課題】
【０００４】
従来のセーバーソーでは、先端工具の着脱時や、プランジャ及び着脱機構周辺部に詰まった切削屑の除去時、折損した先端工具の除去時などにおいて、ハウジングの内部に手を入れて作業する必要があり、メンテナンスがしにくいという問題があった。
【０００５】
また、従来のセーバーソーでは、プランジャの先端に着脱機構を設けた構成とした場合には、着脱機構を操作するためのスペースをハウジング前方に設ける必要があるため、ハウジングの全長を短くする必要があった。しかし、ハウジングの全長を短くすると、作業者が把持可能な範囲が狭くなり、作業性が悪くなるという問題があった。
【０００６】
そこで本発明は、操作性、作業性及びメンテナンス性を向上させた往復動工具を提供することを目的とする。
【課題を解決するための手段】
【０００７】
上記課題を解決するために本発明は、モータと、前記モータの動力を往復動に変換する動力変換機構と、該動力変換機構に接続し、先端工具を着脱可能に保持する着脱機構を備えるプランジャと、前記動力変換機構及び前記モータを収容する本体部と、前記プランジャを覆うカバーを着脱可能に備える把持部とを備えるハウジングと、を有し、前記カバーは、前記先端工具の前記着脱機構への着脱を操作する操作部を備えることを特徴とする往復動工具を提供している。
【０００８】
このような構成によると、操作部を操作することにより、先端工具の交換が可能となる。そのため、カバーを外す作業を行うことなく、容易に先端工具の交換が可能な往復動工具を実現できる。また、カバーを外すことによって着脱機構周囲の粉塵の除去や、メンテナンス等を容易に行うことができる。また、着脱可能なカバーが把持部の機能を有しているため、把持部の大きさ、全長等を犠牲にすることなく、着脱操作や着脱機構のメンテナンス等を可能とした往復動工具とすることができる。そのため、本発明の往復動工具は、作業性を損なうことなく、着脱操作及びメンテナンス機能等を備えることができる。また、本発明の往復動工具では、カバーが着脱機構を覆うように配置される。そのためこのカバーは、着脱機構を周囲の物体との接触や衝突から保護するとともに、作業者を着脱機構や先端工具との接触ことから保護することができる。
【０００９】
また、前記把持部は、エラストマによって覆われることが好ましい。
【００１０】
このような構成によると、把持部は、滑り止めの機能を有するエラストマによって覆われる。そのため、作業者は手元を滑らせることなく安全確実に作業を実行することができる。
【００１１】
また、前記操作部は、カバーに相対移動可能なレバーを有することが好ましい。
【００１２】
このような構成によると、レバーの操作によって容易に先端工具の交換が可能な往復動工具を実現できる。
【００１３】
また、前記カバーには、前記往復動の方向に延びる軸部材を収容し、前記カバーの前記モータ側端面に開口を形成し、前記カバー装着時に前記本体部によって前記開口が塞がれる長孔が画成され、前記レバーは、前記軸部材に接続され、前記軸部材を中心に回動することによって前記先端工具を着脱することが好ましい。
【００１４】
このような構成によると、通常の作業時に上方側に位置するモータ側端面に開口が形成されることによって、長孔から軸部材が脱落することが防止される。また、開口がハウジング本体部によって塞がれることによって、開口を塞ぐ部材を用いずに軸部材の脱落を防止できる。
【００１５】
また、ハウジング内に、プランジャを支持する軸受部を備え、カバーは、軸受部よりも前方である先端工具側に設けられることが望ましい。
【００１６】
このような構成にすると、カバーを取外すことで、軸受部への切削屑の侵入を防ぐように、プランジャ及びプランジャ付近の清掃を容易に行うことができる。
【発明の効果】
【００１７】
本発明によれば、操作性、作業性及びメンテナンス性を向上させた往復動工具を提供することができる。
【図面の簡単な説明】
【００１８】
【図１】本発明の実施の形態にかかるセーバーソーの断面図。
【図２】本発明の実施の形態にかかる（ａ）セーバーソーのカバー前面図と、（ｂ）カバーを取り外したセーバーソーの前面図。
【図３】本発明の実施の形態にかかる（ａ）セーバーソーのカバー側面図と、（ｂ）カバーを取り外したセーバーソーの側面図と（ｃ）カバーを取り外したセーバーソーの把持部周辺における平面図。
【図４】本発明の実施の形態にかかるセーバーソーの分解図。
【図５】本発明の実施の形態にかかるセーバーソーのカバー分解図。
【図６】本発明の実施の形態にかかるセーバーソーの（ａ）カバー平面図と、（ｂ）カバー側面図。
【図７】本発明の実施の形態にかかるセーバーソーの（ａ）図６（ｂ）Ａ−Ａ線に沿ったカバー断面図、（ｂ）図６（ｂ）Ｂ−Ｂ線に沿ったカバー断面図、及び（ｃ）図６（ｂ）Ｃ−Ｃ線に沿ったカバー断面図。
【図８】本発明の実施の形態にかかるセーバーソーの断面図であって、（ａ）レバーが固定位置にある状態を示す図と、（ｂ）レバーが解除位置にある状態を示す図。
【図９】本発明の実施の形態にかかる、プランジャが最後方位置に位置するときのセーバーソーであって（ａ）カバーを装着した状態の把持部周辺の上方から見た断面図と（ｂ）側方から見た断面図、及び（ｃ）カバーを取り外した状態の把持部周辺の平面図と（ｄ）側方から見た断面図。
【図１０】本発明の実施の形態にかかる、プランジャが最前方位置に位置するときのセーバーソーであって（ａ）カバーを装着した状態の把持部周辺の上方から見た断面図と（ｂ）側方から見た断面図、及び（ｃ）カバーを取り外した状態の把持部周辺の平面図と（ｄ）側方から見た断面図。
【発明を実施するための形態】
【００１９】
以下、本発明の実施の形態に係る往復動工具について図１乃至図１０に基づき説明する。往復動工具の一例であるセーバーソー１は、図１に示すように、モータ２と、ハウジング３と、ギヤ部４と、往復機構５と、着脱機構６と、ベース部７と、バッテリ９とから主に構成される。なお、図１に図示するように上下、前後の各方向を定義する。また図１の紙面直交方向を左右方向とする。
【００２０】
図１に示すように、ハウジング３は樹脂のフレームから構成され、セーバーソー１の外殻を成す。ハウジング３は、ハンドル部３１Ａと前方ハウジング３５との２つの部品から構成される。また、前方ハウジング３５のうち、前方側の領域は、作業者によって把持される把持部３７として機能し、この把持部３７を除くハウジング３を本体部３１と総称する（図１）。
【００２１】
ハンドル部３１Ａは、図１から図３に示すように、主にハウジング３の後部を構成する。ハンドル部３１Ａは、作業者が保持しやすいように側面視Ｄ型の中空部分を画成し、モータ２の動作を操作するためのトリガ３Ａを備える。ハンドル部３１Ａは、図１、図２の左右方向において分割可能に接続される２分割構造をしており、その前方にモータ２を収容する。ハンドル部３１Ａ内部であってモータ２の後方、下部には、トリガ３Ａと電気的に接続する制御基板１０が収容される。ハンドル部３１Ａの下部にはバッテリ９が着脱可能であるように構成される。装着時においてバッテリ９は、制御基板１０と電気的に接続される。
【００２２】
前方ハウジング３５は、図４に示すように、内部に収容部３４と、収容部３４の上方に固定されたギヤカバー３６とを有する。収容部３４及びギヤカバー３６は金属製部材であり、ギヤカバー３６は収容部３４の上方を覆うように配置される。収容部３４とギヤカバー３６とは、主にギヤ部４と、往復機構５と、着脱機構６と、往復機構５を保持するための軸受部８１、８２及びＯリング８３を収容する。
【００２３】
前方ハウジング３５の後部は、ハンドル部３１Ａの前部と接続し、モータ２の前方に配置された部品や機構を収容する。前方ハウジング３５の表面は、ハンドル部３１Ａから連続した表面を形成し、また、前方に向かうに従って次第に外径が小さくなるように形成される。前方ハウジング３５の前部は、略円筒形の把持部３７を構成し、作業者が把持し易い外径であるとともに、把持した際に滑りにくいようにエラストマで覆われる。また、把持部３７は上部にカバー３２を備える。
【００２４】
カバー３２は、図２（ａ）及び図３（ａ）などに示すように、エラストマで覆われた略半円筒形の部材であり、往復機構５の一部と着脱機構６とを覆うように配置される。カバー３２は、前方ハウジング３５に対して着脱可能である。詳細には、カバー３２は、装着時には２つのネジ３２Ａ（図４）によって、下端部及び後端部が前方ハウジング３５に接するように固定され、ネジ３２Ａを外すことによって把持部３７に対して取外し可能に構成される。カバー３２には、図５に示すように、前後方向に延びる長孔３２ａが形成されるとともに、レバー３３が取付けられる。長孔３２ａは、カバー３２の後端に開口を形成し、カバー３２の後端から前方に延びるように形成される。カバー３２を前方ハウジング３５に装着した場合、長孔３２ａは本体部３１の前端部によって塞がれる。レバー３３は、本発明の操作部に相当する。
【００２５】
レバー３３は、図５に示すように、押圧部３３Ａを備え、前後方向の貫通孔３３ｄが形成される。カバー３２とレバー３３を接続する部品として、バネ３３Ｂと軸部材３３Ｃとが用いられる。押圧部３３Ａは、レバー３３と一体に形成され、前後方向に延びると共に、カバー３２の内部であって略右方へ突出した形状を有する（図８）。押圧部３３Ａの前後方向長さは、往復機構５の往復動（後述）の幅よりも長く構成される。バネ３３Ｂは、ねじりコイルバネであり、図７に示すように、両端部の一方は押圧部３３Ａと接触し、他方はカバー３２と接触する。軸部材３３Ｃは、長孔３２ａと貫通孔３２ｄとバネ３３Ｂとに挿通されることにより、レバー３３をカバー３２に対して回動可能に接続する。バネ３３Ｂは、軸部材３３Ｃを中心に、後方から見て反時計回りにレバー３３を付勢する。レバー３３は、解除位置と固定位置との間を回動可能である（図８）。なお、バネ３３Ｂは、レバー３３に対する付勢手段の一例であり、板バネ等、コイルバネ以外のバネを用いても良い。
【００２６】
モータ２は、図１に示すように、ハンドル部３１Ａの内部に収容される。モータ２は、出力軸２１と、出力軸２１の端部に固定されたピニオン２１Ａと、ファン２２とを備える。モータ２は、本実施の形態においては整流子モータであり、トリガ３Ａ、制御基板１０及びバッテリ９と電気的に接続される。なお、モータ２は、整流子モータではなく、ブラシレスモータとすることも可能である。ファン２２は、モータ２の前部に配置され、作業時に出力軸２１と一体に回転して送風することによりモータ２を冷却する。ピニオン２１Ａは、出力軸２１の前端部に取付けられた傘歯歯車であり、モータ２の駆動力をギヤ部４へと伝達する。
【００２７】
ギヤ部４は、図１及び図４に示すように、ピニオン２１Ａの前方であって収容部３４内部に配置される。ギヤ部４には、ベベルギヤ４１と、上下方向に延びてベベルギヤ４１を軸支する回転軸４３と、ベベルギヤ４１の背面部に固定され上方に突出する円筒形のピン４２とを備える。ベベルギヤ４１は、ピニオン２１Ａに噛合することにより、モータ２の駆動力を受け取るとともに、駆動力の回転方向を９０度変える機能を有する。ピン４２は、ベベルギヤ４１の背面で、かつ、回転軸４３から離れた位置に固定される。作業時にベベルギヤ４１は、回転軸４３を中心に回転し、伴って回転するピン４２を介して駆動力を往復機構５へと伝達する。
【００２８】
往復機構５は、図１及び図４に示すように、ピン係合部５１と、プランジャ５２とを備える。ピン係合部５１は、左右方向に延び、下方に開いたコの字状の溝型断面を有する部材である。ピン４２は、ピン係合部５１の溝型断面に係合するように配置される。詳細には、ピン４２は、ピン係合部５１に対して前後方向に拘束されるが、左右方向へは移動可能となるように係合する。ピン係合部５１とピン４２とが係合することにより、ピン４２が行う回転運動のうち、前後方向の動きのみがピン係合部５１に伝達される。すなわち、ピン係合部５１は、ピン４２の回転運動を前後方向への往復動へと変換する機能を有する。なお、ギヤ部４とピン係合部５１とは、本発明における動力変換機構に相当する。
【００２９】
プランジャ５２は、図４に示すように、前後方向に延びる矩形断面を有する部材である。プランジャ５２は、前端部に着脱機構６を備える。プランジャ５２は、後方軸受部８１、前方軸受部８２及びＯリング８３によって摺動可能に保持され、前後方向のみに移動可能である。軸受部８１、８２はメタルであり、金属材料からなる。プランジャ５２の前端部及び着脱機構６は、前方軸受部８２よりも常に前方に位置し、ギヤカバー３６から前方に突出し、カバー３２に覆われる位置に配置される。プランジャ５２はピン係合部５１に固定され、作業時にピン係合部５１と一体となって往復動を行う。
【００３０】
着脱機構６は、図示せぬ先端工具を着脱可能に挟持、固定する部材であり、図１乃至図４に示すように、プランジャ５２の前端部に固定される。着脱機構６は、被押圧部６１を備える。着脱機構６はプランジャ５２に固定されるため、作業時にはプランジャ５２と一体に前後方向に往復動する。着脱機構６は、図９及び図１０に示すように、前後に往復しても常にカバー３２に覆われるように配置される。
【００３１】
被押圧部６１は、着脱機構６による先端工具の着脱を操作するためのレバーであり、図８に示すように、着脱機構６に対して上方位置と下方位置との間で上下に移動可能に装着される。被押圧部６１は、図示せぬ付勢部材によって上方に向けて付勢される。被押圧部６１が上方位置にある場合、着脱機構６は先端工具を挟持し、固定する。被押圧部６１が下方位置にある場合、着脱機構６は先端工具の挟持および固定を解除し、取外し可能とする。
【００３２】
また、被押圧部６１は、図７（ａ）に示すように、カバー３２が前方ハウジング３５に装着されているとき、常に上面が押圧部３３Ａの下面と上下に近接するように配置される。押圧部３３Ａの前後方向長さは、上述のように往復機構５の往復動の幅よりも長く構成される。そのため、図８乃至図１０に示すように、押圧部３３Ａは、プランジャ５１の位置に関わらず被押圧部６１を押圧することが可能である。
【００３３】
ベース部７は、図１及び図４に示すように、セーバーソー１の前部を構成する部材であり、ベース７１、支持部７２及びネジ７Ａを有する。ベース７１は、プランジャ５１の長手方向に交差するよう上下方向に延びた平滑な底面を有し、底面が被加工部材の表面に接触し摺動することで円滑な加工作業を可能とする。支持部７２は、前後方向に延びる棒状の部材であり、前端部においてベース７１に固定される。支持部７２は、前後方向に延びる長孔７ｂが形成される。支持部７２は、ネジ７Ａによって着脱機構６及びカバー３２下方において収容部３４に固定される。ネジ７Ａは、図９及び図１０に示すように、長孔７ｂに挿通された状態で支持部７２を収容部３４との間に締め付け、固定する。そのため、ベース部７のハウジング３に対する前方への突出長さは、長孔７ｂの前後長さの範囲で任意に調整可能である。収容部３４の前端部はカバー３２下方に位置する前方ハウジング３５によって覆われている。ベース７を収容部３４から取り外さなくとも、カバー３２の着脱が可能である。
【００３４】
次に、セーバーソー１の動作について説明する。バッテリ９をハンドル部３１Ａに装着し、トリガ３Ａを後方に引くことによりモータ２が回転する。モータ２の回転は、ピニオン２１Ａからギヤ部４に伝達され、さらにギヤ部４とピン係合部５１によって回転運動から前後の往復運動に変換される。往復運動は、プランジャ５２及び着脱機構６に伝達され、着脱機構６に装着された図示せぬ先端工具は前後動する。同時に、作業者は、ベース７１を被加工材の表面に接触、摺動させることによって被加工材の切断作業等を行う。なお、先端工具は上下どちら向きにも取付け可能であるが、下向きが標準的な作業における取付け方向である。
【００３５】
作業者は、トリガ３Ａの引き込み量を調節することによって、モータ２の回転数を調節することができる。制御基板１０は、トリガ３Ａの引き込み量に応じた電流をモータ２へ流すことにより、モータ２の回転数を制御する。具体的には、モータ２は、トリガ３Ａの引き込み量が多くなるにしたがって回転数が上がるように制御され、それに伴い先端工具の往復数も増加する。
【００３６】
標準的な作業において、作業者は、片手でハンドル部３１Ａを保持するとともに、もう一方の手で把持部３７を把持してセーバーソー１を操作する。把持部３７は、エラストマで覆われるため、把持した際に滑りにくい。そのため、作業者は、正確に作業を行うことができる。
【００３７】
作業者は、カバー３２を前方ハウジング３５から取り外すことなく、鋸刃等の先端工具の交換を行うことができる。作業者が、図８（ｂ）に示すように、レバー３３をバネ３３Ｂの付勢力に抗して解除位置に回動させると、押圧部３３Ａが被押圧部６１を下方に押圧して下方位置へ移動させる。これにより、着脱機構６による先端工具の挟持及び固定が解除されるため、作業者は先端工具を着脱機構６から取り外し、交換することができる。作業者が先端工具を着脱機構６に固定する場合は、図８（ａ）に示すように、レバー３３を回動させ、固定位置に移動させる。このとき、押圧部３３Ａはバネ３３Ｂの付勢力により上方へ回動して押圧を解除し、被押圧部６１は図示せぬ付勢部材の付勢力により上方位置に移動する。こうして、着脱機構６は先端工具を挟持、固定する。
【００３８】
上述のようにレバー３３を操作しても着脱機構６が動作しない場合や、折損した先端工具を着脱機構６から取り外すことができない場合など、また作業者が切削屑をカバー３２の内部から取り出す場合には、ネジ３２Ａを取外し、次いでカバー３２を前方ハウジング３５から取外す。カバー３２を取り外すと、図３に示すように、前方ハウジング３５の内部、プランジャ５２の一部及び着脱機構６が露出するため、切削屑や折損した先端工具の取出しが容易に実施可能となる。また、被押圧部６１を手で直接操作することが可能となるため、先端工具の取り換えも容易に実施できる。カバー３２は、前方軸受部８２よりも前方に取付けられた構造であり、カバー３２を取外した際に、前方軸受部８２への切削屑の侵入を防ぐように、プランジャ５２及びプランジャ５２付近の清掃を行うことができる。なお、ギヤカバー３６の前端面と、カバー３２の後端面とが略同位置に設けられているため、プランジャ５２周辺の清掃を容易に行うことができる。
【００３９】
このような構成によると、レバー３３を操作することにより、先端工具の交換が可能となる。そのため、カバー３２を外す作業を行うことなく、容易に先端工具の交換が可能である。また、カバー３２を外すことによって着脱機構６周囲の切削屑の除去や、メンテナンス等を容易に行うことができる。また、着脱可能なカバー３２が把持部３７の機能を有しているため、把持部３７の大きさ、全長等を犠牲にすることなく、先端工具の着脱操作や着脱機構６のメンテナンス等を可能とすることができる。そのため、セーバーソー１は、作業性を損なうことなく、着脱操作及びメンテナンス機能等を備えることができる。また、カバー３２は、常に着脱機構６を覆うように配置される。そのためこのカバー３２は、着脱機構６を周囲の物体との接触や衝突から保護するとともに、作業者を着脱機構６や先端工具との接触から保護することができる。
【００４０】
また、把持部３７は、滑り止めの機能を有するエラストマによって覆われる。そのため、作業者は手元を滑らせることなく安全確実に作業を実行することができる。
【００４１】
さらに、レバー３３の操作によって容易に先端工具の交換が可能である。
【００４２】
長孔３２ａの開口がカバー３２の後端に形成されることによって、長孔３２ａから軸部材３３Ｃが脱落することが防止される。また、長孔３２ａの開口がハウジング３の本体部３１によって塞がれることによって、開口を塞ぐ部材を用いずに軸部材３３Ｃの脱落を防止できる。
【００４３】
本実施の形態では、セーバーソーについて説明したが、本発明はこの実施例に限定されるものではなく、先端工具を往復動させるレシプロソー、ジグソー等の他の往復動工具に対しても適用可能である。
【００４４】
また、上記した実施形態では、操作部であるレバー３３がカバー３２に回動可能に設けられ、回動操作時に先端工具を取外すよう着脱機構６を動作させる構造とした、レバー３３がスライド動作などカバー３２に対して相対移動可能な構成で、相対移動した際に先端工具を取外すよう着脱機構６を動作させる構造であっても良い。
【００４５】
また、上記した実施形態では、カバー３２をネジ３２Ａによって前方ハウジング３５に着脱する構造としたが、前方ハウジング３５とカバー３２とをヒンジを設けて接続し、カバー３２を前方ハウジング３５に対してヒンジを中心に揺動させる構造としても良い。この場合、カバー３２を完全に取外すことなく、着脱機構６の操作や、プランジャ５２及びプランジャ５２周辺の清掃を行うことができるものである。
【符号の説明】
【００４６】
１     セーバーソー
２     モータ
３     ハウジング
４     ギヤ部
５     往復機構
６     着脱機構
７     ベース部
９     バッテリ
３１   本体部
３２   カバー
３３   レバー
３５   前方ハウジング
３６   ギヤカバー
３７   把持部
【図１】
2017013159.tif 000003
【図２】
2017013159.tif 000004
【図３】
2017013159.tif 000005
【図４】
2017013159.tif 000006
【図５】
2017013159.tif 000007
【図６】
2017013159.tif 000008
【図７】
2017013159.tif 000009
【図８】
2017013159.tif 000010
【図９】
2017013159.tif 000011
【図１０】
2017013159.tif 000012